(57)【特許請求の範囲】
【請求項１】
コーム（１）がブレードから作られ、このブレードの本体（２）にはハンドル（６）を有するブラッシング用支持体（５）に固定するための手段が設けられ、上記本体（２）の歯付縁部に被毛中に差し込むことができる２つの歯群Ａおよび歯群Ｂを有し、これら２つの歯群Ａおよび歯群Ｂは薄板状の上記本体の中央平面Ｐの互いに反対側に互い違いに配置されている、動物の被毛の手入れ用手動ブラシのコームにおいて、
上記の各歯の端部にはこの端部から始まるエッジの長さの一部にわたって傷付け防止のための丸み部が設けられ、各歯は薄板状の上記本体の上記中央平面Ｐに平行で平坦な外面（９ａ、９ｂ）と湾曲した最内面との間に規定され、長い歯である主要歯群Ａとこの主要歯群Ａより短い二次的歯群Ｂとを構成することを特徴とするコーム。
【請求項２】
少なくとも前記主要な歯群Ａの前記歯（７）が、毛が滑りやすくなるような凸状の内面ｉｎｔｅｒｎｅ（１０ａ）を有することを特徴とする、請求項１に記載の動物の被毛の手入れ用手動ブラシのためのコーム。
【請求項３】
前記第二の歯群Ｂの前記歯（８）が凹状の内面（１０ｂ）を有することを特徴とする、請求項１および２に記載の動物の被毛の手入れ用手動ブラシのためのコーム。
【請求項４】
前記２つの歯群ＡおよびＢの各々の前記歯（７および８）が、それらの端から前記薄板状本体（２）のヒール部に向かって移動するにつれ、円形から長方形へと推移する横断面を有することを特徴とする、請求項１に記載の動物の被毛の手入れ用手動ブラシのためのコーム。
【請求項５】
前記歯（７および８）の前記内面（１０ａおよび１０ｂ）と前記外面（９ａおよび９ｂ）ならびに、前記２つの歯群間に形成された歯間部の面（１１）は平滑で、凹凸がないことを特徴とする、請求項１に記載の動物の被毛の手入れ用手動ブラシのためのコーム。
【請求項６】
前記２つの歯群ＡおよびＢの前記歯（７および８）間の前記歯間部の底部の形状が、古くなった毛と不純物を回収する横方向の回廊部を画定することによって、前記小さい歯（８）の側から前記大きい歯（７）の側に向かって移動するにつれ、半円形（１２）から、前記歯の側面（１１）に当接する円弧（１３）の形状へと変化することを特徴とする、請求項１に記載の動物の被毛の手入れ用手動ブラシのためのコーム。
【請求項７】
前記２つの歯群ＡおよびＢの前記歯が、前記薄板状本体（２）の幅の実質的に２／５にわたり、前記主要な歯群Ａの前記歯（７）と前記第二の歯群Ｂのそれら（８）との間の長さの差が前記歯群Ａの前記歯の長さの５〜２０％の範囲であることを特徴とする、請求項１に記載の動物の被毛の手入れ用手動ブラシのためのコーム。
【請求項８】
前記薄板状本体（２）とその歯群ＡおよびＢは、金属またはプラスチック材料等、前記被毛を引っ張らないような良好な滑り係数と柔軟性を有する材料の成型または３Ｄ印刷により実現されることを特徴とする、請求項１に記載の動物の被毛の手入れ用手動ブラシのためのコーム。
【請求項９】
前記薄板状本体（２）は、丸みのある端（１６）と丸みのある縁部を有し、前記２つの歯群ＡおよびＢの前記歯７および８より短い、枠となる指状部（１５）の分だけ、縦方向に前記２つの歯群ＡおよびＢを超えて延びることを特徴とする、請求項１に記載の動物の被毛の手入れ用手動ブラシのためのコーム。
【請求項１０】
前記２つの歯群の、前記枠となる指状部（１５）に対して位置付けられた前記歯（７ａおよび８ａ）は、これらの枠となる指状部に向かって移動するにつれ、減少する長さを有することを特徴とする、請求項１および９を組み合わせたものによる動物の被毛の手入れ用手動ブラシのためのコーム。
【発明の詳細な説明】
【技術分野】
【０００１】
本発明は、動物の被毛の手入れ、より詳しくは手動ブラシのためのコームに関する。
【背景技術】
【０００２】
犬や猫等の飼育動物の被毛を良好な状態に保つために、取り外し可能かつ交換可能なコームを受けるためのヘッドを備えるハンドルからなるブラシを使って手でそれにブラシをかけることが知られている。現在のブラシでは、コームは金属のブレードから作られ、その本体には、ハンドルのヘッドに固定するための手段と、はす縁と、が設けられ、歯は機械加工により実現される。
【０００３】
この解決策は長年にわたり使用されており、それは、歯に、被毛から古くなった毛を除去し、それと同時に表皮のフケを除去することができるようにする「掻き落とす」力が付与されるからである。
機械加工によるそれらの製造方法から、これらの歯群には鋭利な歯があり、これは、手入れを行う人物が注意しなければ、その切削力によって動物の皮膚を傷め、金属コームの硬さによって被毛をちぎり、その鋭利な縁部によって毛を大量に切りすぎて被毛に禿げた部分ができるまでに至ることがある。それに加えて、使用される機械加工の手段によっては、これらの歯群は顕微鏡で見えるような「鋸歯」状の縁部を有し、これが被毛に損傷を与える。このような特性はまた、道具の手入れとクリーニングを複雑にし、動物にとって不健康となりうる。
【０００４】
［特許文献１］（米国特許出願公開第２０１１／０２５９２８１号明細書）から、ブレードから作られ、その本体にハンドルを持つブラシ支持体に固定するための手段が設けられた、動物の被毛の手入れ用手動ブラシのためのコームが知られている。このブレードは、薄板状本体の歯付縁部に、この本体の中央平面の各々の側に位置付けられて、その歯が相互に互い違いになっている２つの歯群を含む。これらの歯は薄板状本体の中央平面に平行な平坦外面と、同じく平坦で、薄板状本体の中央平面に平行な内面との間に画定され、したがって、鋭利な縁部を持ち、それが被毛に損傷を与える可能性がある。
【先行技術文献】
【特許文献】
【０００５】
【特許文献１】米国特許出願公開第２０１１／０２５９２８１号明細書
【発明の概要】
【発明が解決しようとする課題】
【０００６】
本発明の目的は、上記に対して、手入れ作業中の被毛の処理を改善し、それと同時に、動物の被毛の傷みや痕を生じさせないことによって、動物の健康を尊重するようなコームを提供することである。
【課題を解決するための手段】
【０００７】
したがって、これはハンドルを持つブラッシング用の支持体に固定する手段が設けられた薄板状本体から作られ、歯付縁部に、本体の中央平面の各々の側に位置付けられ、その歯が相互に互い違いになっている２つの歯群を含むコームに関する。
【０００８】
本発明によれば、２つの歯群の歯は、その先端および、その端から始まる縁部の長さの一部にわたり傷付け防止の丸みが設けられ、薄板状本体の中央平面に平行な平坦外面と湾曲した内面との間に画定され、すなわち、長い歯の主要な歯群と、主要な歯群のそれらより短い歯を有し、それらより薄い第二の歯群である。
【０００９】
実際に、主要な歯群は、密度の高い、すなわち濃い被毛、例えば冬毛のブラッシング用とされ、第二の歯群は、より密度の低い、より薄い毛のブラッシング用、または夏毛のブラッシング用とされる。
【００１０】
何れの場合も、たとえ歯が皮膚と接触しても、コームは動物に損傷を与えずに被毛と係合し、それは、丸みを付けられたそれらの端と縁部が、鋭利な縁部と先端を持つ機械加工された歯群を有する金属コームと異なり、いかなる傷も発生させる可能性がないからである。
【００１１】
ブラシを動物の被毛ないで移動させると、ブラシの移動を通じて毛と接触する第一の歯群は、被毛から古くなった毛、古くなった皮膚、埃、および小穂を除去することによりブラッシングを行い、その一方で、第二の歯群は、皮膚に接触せずに被毛を二重にブラッシングすることにより動作をさらに補い、毛を、もう一方の歯群から解放されるとすぐに「愛撫的に」撫でつける。
【００１２】
ある実施形態において、少なくとも主要な歯群の歯は、毛を滑りやすくする凸状の内面を有する。
【００１３】
他の実施形態において、主要な歯群の歯が凸状の内面を有する場合、第二の歯群のそれらは凹状の内面を有する。
【００１４】
これによって、歯の上と歯間に傾斜板を形成することができ、これはコームの移動方向に応じて、古くなった毛、古くなった皮膚、および埃を受け、ブラッシングの効果と被毛の輝きを改善することによって、被毛からその存在を除去する。
【００１５】
有利な点として、コームは金属またはプラスチック材料を成型することによって作られる。
【００１６】
これによって、高品質の同じコームを得ることができ、これには複雑な機械加工が不要であり、その歯は動物の皮膚を傷つける可能性のない、均等な丸みのある縁部と丸みのある先端を有する。
【００１７】
ある実施形態において、２つの歯群の各群の歯の断面は、それらの端からブレード本体に向かって移動する、円形から丸みのある縁部を持つ長方形へと推移する。
【００１８】
この構成は、接触するのに有利であり、また、歯間部のｆｌａｙ面による毛の撫でつけも改善される。
【００１９】
他の特徴と利点は、このコームのいくつかの実施形態を示す添付の概略図に関する以下の説明の結果として得られる。
【図面の簡単な説明】
【００２０】
【図１】薄毛用の第二の歯群の側から見た、コームのある実施形態の正面図である。
【図２】図１の横断面Ｓ１〜Ｓ５により作られる断面を使った２つの歯群の中の歯のセクションの径所の変化を示す概略図である。
【図３】厚毛用の長い歯群の側から見た、コームの別の実施形態の正面図である。
【図４−５】図１のＩＶ−ＩＶおよびＶ−Ｖに沿った断面図であり、それぞれ厚毛用の主要な歯群の中の歯と、薄毛用の第二の歯群の中の歯を示す。
【図６−７】主要な歯群と第二の歯群との間の歯間部の底部の形状を拡大して示す部分図である。
【図８】主要な歯群の側から見たコームの斜視図である。
【図９】本発明によるコームが設けられたブラシの、主要な歯群が前側に位置付けられている状態でのブラッシング動作中の側面図である。
【図１０】コームの断面部分図であり、動物の被毛上の歯群の動作を大きく拡大して示す。
【図１１−１２】図９および１０と同様であるが、第二の歯群が前側に位置付けられている状態でのブラッシング動作中の図である。
【発明を実施するための形態】
【００２１】
概して図１に示されるように、本発明によるコーム１は、図９で見られるハンドル６を持つヘッド５に取り付けるための手段３または４がそのヒール部に設けられた薄板状本体２からなる。
【００２２】
図に示されている本発明の実施形態において、薄板状本体２は、２つの歯群、それぞれ主要な群Ａと第二の群Ｂにより形成される歯付縁部を含み、これらはコームの中央平面Ｐ（図４および５）のそれぞれの側に位置付けられ、歯７および８からなる。主要な歯群Ａの歯７は、第二の歯群Ｂの歯８と互い違いであり、図のように、薄板状の本体の面に対応する平坦な外面、それぞれ９ａおよび９ｂと、歯の端に形成される湾曲した内面、それぞれ１０ａおよび１０ｂとの間に画定される。面９ａおよび９ｂ、１０ａおよび１０ｂと歯間部の面１１は、毛がそこに触れて滑りやすくなるように平滑で凹凸がない。
【００２３】
これは、そのコームが２つの歯群ＡおよびＢを持つ、各薄板状本体２が金属またはプラスチック材料等、被毛を引っ張らないような良好な滑り係数と柔軟性を有する材料を成型することによって得られるという点で、なおさら容易に得られる。製造の代替案として、本体とコームは３Ｄ印刷により得られる。
【００２４】
主要な歯群Ａの歯７の横断面を示す図４の実施形態において、この歯７の内面１０ａは凸状であり、図５において、第二の歯群Ｂの歯８の面１０ｂは凹状である。これらの図面はまた、主要な歯群Ａの歯７が第二の歯群Ｂの歯８より値Ｖだけ長いことも示している。
【００２５】
この実施形態において、歯群ＡおよびＢの長さの差は、歯群Ａの最も長い歯７の長さの約５〜２０％である。これらの寸法は、求められる標的の動作に応じて異なっていてもよい。
【００２６】
さらに、歯群ＡおよびＢの長さは薄板状本体２の幅の半分から５分の２の間であり、それは、この薄板状本体をブラシ本体５に取り付ける手段、すなわち本体２に形成された穴３を通るねじまたは本体２のＴ字形ほぞ４がブラシ本体の溝に係合することに応じて異なる。これらの比率は、使用されるブラシの種類によって異なっていてもよい。
【００２７】
図２は、図１の横断面１〜５により得られる断面Ｓ１〜Ｓ５を並べたものであり、２つの歯群ＡおよびＢの歯７および８の各々の断面が、各歯の丸い先端から薄板状本体２との接続部に向かって移動するにつれ、円形（Ｓ１およびＳ２）から正方形、その後、縁の丸い長方形（Ｓ３およびＳ４）、その後丸くない状態（Ｓ５）へと、推移することを示している。これは、毛を引っ張ったり切ったりしないようにするために、歯の長さの一部にわたって延びる、丸みのある端とその後、丸みのある縁が存在することを特徴付ける。
【００２８】
歯と薄板状本体２との接合部には、図Ｓ５に示されるように、丸みのある縁がない。この構成は傾斜面Ｚを形成し、それによって、梳き取られた古い毛を保持することが可能となる。この領域Ｚはまた、それゆえ、最適なブラッシングのために歯群を解放することによって、クリーニングと古くなった毛の保持に有利である。
【００２９】
図２はまた、第二の歯群Ｂの歯８の各々の横断面が主要な歯群Ａの歯７のそれより小さいことを示している。
【００３０】
図６および７は、２つの歯群、それぞれＢおよびＡの歯間部の拡大部分Ｓ６およびＳ７を通じて、この歯間部の底の部分が、コームの厚さを横切るように、例えば小さい歯８から大きい歯７に向かって移動するにつれ、図６の半円形１２から図７に示されるような、歯８の側面と接触する円弧１３の形状に変化することを示している。各歯間部は、それゆえ、横方向の回廊部を画定し、ブラッシングされた被毛の毛を、それらを歯の基底部のまっすぐで平坦な側面１１に向かって案内することによって集め、これらの毛を撫でつけることによって、古くなった毛、古くなった皮膚、埃、および小穂を除去しやすい。
【００３１】
図１、３、および６〜８に示されているように、コームが縦方向に歯群ＡおよびＢの端を超えて延びている場合、これは２つの枠となる指状部１５を含み、その各々が歯７および８のそれらより短い長さを有し、丸みのある先端１６と丸みのある縁部１７が設けられている。コームが動物の皮膚を傷つけることがないようにするという同じ目的のために、枠となる指状部１５に対して位置付けられた歯７ａおよび８ａの長さは、これらの枠となる指状部に向かって移動するにつれて減少する。
【００３２】
ブラシをかけ、手入れすることのできる動物の大きさ、例えばチワワからセントバーナードまでに最もよく合わせるために、コームは歯群の幅と歯の長さにより区別されるいくつかのサイズで提供される点に留意されたい。さらに、動物によって被毛の密度が同じでないため、コームには、被毛の厚さや長さに合わせることによって、異なる動物に使用できるように、異なる構成が設けられる。
【００３３】
上記の説明は、歯群ＡおよびＢを、これらに「主要な」と「第二の」を追加することによって一般的な方法で区別しており、以下の実施形態において、これらの同じ歯群は使用者により定義され、すなわち、歯群Ａは「厚毛用」、歯群Ｂは「薄毛用」とされる。同じ動物の被毛は季節によって厚い被毛からより通気のよい被毛へと切り替わり、またその逆もありえるため、ブラシの使用者は、コームの取り外し可能性を利用して、それをブラシのヘッド５の上でひっくり返し、被毛の密度に最もよく対応する歯群を毛と接触させることができる。
【００３４】
図９は、ブラシが矢印２１に従って移動された時に前側にあり、毛２０と接触するのが「厚毛用」の主要な歯群Ａであり、したがって歯群Ｂは後側にあるようにコーム２が位置付けられているブラシを示す。図１０では、その２つの歯群を有し、主要な歯群が前側に位置付けられたコームが、簡単に被毛の中に刺しこまれることと、それと皮膚２２との接触が、その歯７の群の丸みのある端を介して行われ、したがって皮膚を傷つける可能性がないことを示している。
【００３５】
ブラッシング運動中に、毛２０は、これらを歯群Ｂの歯８の側面１１に押し付ける歯間部の回廊部を通過し、この面は被毛から古くなった毛、老廃物、埃、および小穂を、それらを領域Ｚに保持することによって除去し、それと同時に、面１１はこれらの毛を、これらが歯群Ａから解放されるとすぐに愛撫的に撫でつける。
【００３６】
図１１において、コームはブラシのヘッド５の上で、前側にあって、ハンドルを矢印２１に従って引いた時に最初に毛２０と接触するのが第二の歯群Ｂであるように示されている。
【００３７】
図１２は、ブラシが手で握られ、２つの歯群ＡおよびＢが皮膚２２と接触し、接触力が皮膚全体に分散され、丸みのある端のおかげでそれを傷つける危険がないようにハンドルが傾斜していることを示している。歯が皮膚に加える圧力が２列にわたり分散されるため、動物にとってブラッシングの感覚がより愛撫的となる。
【００３８】
ブラッシングを最適化するために歯群を皮膚に近付けるこの姿勢は、薄毛の被毛に特異的であり、したがって、「敏感な」領域および耳、足、首のような毛の少ない、および／または毛の短い領域に推奨される。
【００３９】
ブラッシング運動中に、毛２０は、これらを歯群Ａの歯７の側面１１に押し付ける歯間部の回廊部を通過し、この面は、被毛から古くなった毛、老廃物、埃、および小穂を取り除き、それと同時に、これらの毛を、歯群Ｂによりこれらが解放されるとすぐに愛撫的に撫でつける。そのため、後側にある主要な歯群Ａはブラッシングを「さらに補う」機能を有し、その凸状の形状と傾斜板Ｚにより、古くなった毛、古くなった皮膚、フケ、埃、および小穂をまとめて保持し、これらは、ブラシを被毛から外すときに抜き出すことができる。
【図１】
0006700271.tif 000002
【図２】
0006700271.tif 000003
【図３】
0006700271.tif 000004
【図４】
0006700271.tif 000005
【図５】
0006700271.tif 000006
【図６】
0006700271.tif 000007
【図７】
0006700271.tif 000008
【図８】
0006700271.tif 000009
【図９】
0006700271.tif 000010
【図１０】
0006700271.tif 000011
【図１１】
0006700271.tif 000012
【図１２】
0006700271.tif 000013